(57)【要約】【課題】  薄肉ラインの破断による簡易開口部が蓋部分に形成されている簡易開口式容器について、ストローの先端を簡易開口部の中心部に容易に位置合わせすることができて、ストローにより確実に薄肉ラインを破断できるようにする。【解決手段】  簡易開口部１６として、蓋部分（キャップ１の天板部１１）の外面側から内方に凹むように、蓋部分（天板部１１）の一点を最下点とし、その最下点から上方且つ外方に傾斜する傾斜面１７ａによって構成される凹部１７を形成すると共に、この凹部１７の最下点を交点として凹部１７の外縁部の付近にまで放射状に延びる少なくとも３本以上の薄肉ライン１８を形成する。【選択図】  図１
2005320046.tif 000002
【特許請求の範囲】
【請求項１】
ストローにより開口させる簡易開口部として、容器の開口部を塞ぐ蓋部分に、ストローでの押圧により破断可能な薄肉ラインが形成されている簡易開口式の容器において、簡易開口部として、蓋部分の外面側から内方に凹むように、蓋部分の一点を最下点とし、その最下点から上方且つ外方に傾斜する傾斜面によって構成される凹部が形成されていると共に、この凹部の最下点を交点として凹部の外縁部の付近にまで放射状に延びる少なくとも３本以上の薄肉ラインが形成されていることを特徴とする簡易開口式容器。
【請求項２】
隣り合うそれぞれの薄肉ラインの外端部同士を結ぶ直線上に、天板部よりも薄肉で折り曲げ可能なように直線状のヒンジ部が形成されていることを特徴とする請求項１に記載の簡易開口式容器。
【請求項３】
凹部が、その最下点から上方且つ外方に傾斜する複数の逆三角形状の傾斜面と、各傾斜面同士を繋ぐ谷線とで構成された多角錐状の凹部であることを特徴とする請求項１又は２に記載の簡易開口式容器。
【請求項４】
簡易開口部が形成される蓋部分が、天板部とスカート部を備えたキャップの天板部であることを特徴とする請求項１乃至３の何れかに記載の簡易開口式容器。
【発明の詳細な説明】
【技術分野】
【０００１】
本発明は、容器の開口部を塞ぐ蓋部分に形成された簡易開口部をストローの挿通により開口することで、容器の開口部から蓋部分を取り外すことなく、蓋部分を貫通させたストローにより容器内の飲料を飲むことができるようにした簡易開口式容器に関する。
【背景技術】
【０００２】
飲料が充填された容器の開口部を塞ぐ蓋部分に対して、ストローの挿通により開口可能な簡易開口部を形成しておくことで、容器の開口部から蓋部分を取り外すことなく、ストローにより容器内の飲料を飲めるようにするということは従来から行なわれており、そのための簡易開口部の具体的な構造として、容器の開口部を塞ぐ蓋部分（容器の蓋材、容器のストロー孔を塞ぐ密封部）に対し、簡易開口部として、ストローで破断できる放射状の薄肉ライン（切り込み部、薄肉溝部）を形成しておく、ということが下記の特許文献１，２等により従来から公知となっている。
【特許文献１】特開平７−６１４６９号公報
【特許文献２】特開２００２−３６２５４８号公報
【発明の開示】
【発明が解決しようとする課題】
【０００３】
ところで、上記のような簡易開口部を備えた従来公知の簡易開口式容器では、その何れにおいても、蓋部分の平面上に放射状の薄肉ラインが形成されていることから、ストローの先端で簡易開口部を押圧して容器を開口する際に、良く見ながらストローの先端を平面的な簡易開口部の中心部（各薄肉ラインの交点）に位置合わせしてからストローを押圧しなければならず、そうしないとストローの位置がずれて薄肉ラインを充分に破断できないような虞がある。
【０００４】
本発明は、上記のような問題の解消を課題とするものであり、具体的には、薄肉ラインの破断による簡易開口部が蓋部分に形成されている簡易開口式容器について、ストローの先端を簡易開口部の中心部に容易に位置合わせすることができて、ストローにより確実に薄肉ラインを破断できるようにすることを課題とするものである。
【課題を解決するための手段】
【０００５】
本発明は、上記のような課題を解決するために、ストローにより開口させる簡易開口部として、容器の開口部を塞ぐ蓋部分に、ストローでの押圧により破断可能な薄肉ラインが形成されている簡易開口式の容器において、簡易開口部として、蓋部分の外面側から内方に凹むように、蓋部分の一点を最下点とし、その最下点から上方且つ外方に傾斜する傾斜面によって構成される凹部が形成されていると共に、この凹部の最下点を交点として凹部の外縁部の付近にまで放射状に延びる少なくとも３本以上の薄肉ラインが形成されていることを特徴とするものである。
【発明の効果】
【０００６】
上記のような本発明の簡易開口式容器によれば、複数（３本以上）の薄肉ラインの交点が凹部の最下点に位置していることから、ストローでの押圧により簡易開口部を開口させる際に、凹部の傾斜面に沿ってストローの先端を複数の薄肉ラインの交点（簡易開口部の中心部）に向けて容易に案内することができ、そのため、ストローの先端を凹部に入れた状態でストローを押圧することにより、ストローの先端をずらすことなく、ストローでの押圧力により薄肉ラインの交点付近を確実に破断することができる。そして、そこから全ての薄肉ラインを放射状に破断して、各薄肉ラインの間の部分（凹部の傾斜面）を開口片としてストローにより容器内方に押し下げることで、簡易開口部を確実に開口させることができる。
【発明を実施するための最良の形態】
【０００７】
薄肉ラインの破断による簡易開口部が蓋部分に形成されている簡易開口式容器について、ストローの先端を簡易開口部の中心部に容易に位置合わせすることができて、ストローにより確実に薄肉ラインを破断できるようにするという目的を、最良の形態として以下の実施例に具体的に示すように、簡易開口部として、蓋部分の外面側から内方に凹むように、蓋部分の一点を最下点とし、その最下点から上方且つ外方に傾斜する傾斜面によって構成される凹部を形成すると共に、この凹部の最下点を交点として凹部の外縁部の付近にまで放射状に延びる少なくとも３本以上の薄肉ラインを形成するということで実現した。
【実施例】
【０００８】
本実施例の簡易開口式容器は、ＰＥＴボトルやボトル型缶等のようなボトル型の飲料容器に関するものであり、そのような容器本体の口部に合成樹脂製キャップが冠着されるボトル型容器について、口部（口頸部）の上端開口部を塞ぐ蓋部分となるキャップの天板部に対して、ストローでの押圧により破断可能な薄肉ラインによる簡易開口部を形成したものである。なお、ボトル型容器のキャップとなる合成樹脂製キャップについては、ポリエチレンやポリプロピレン等の周知の容器蓋用の合成樹脂を材料として、射出成形等により一体成形されるものである。
【０００９】
以下、ボトル型容器のキャップによる本実施例について説明すると、図１に示すように、略円形の天板部１１の周縁からスカート部１２が垂下されたキャップ１には、天板部１１の周辺部の内面側に、容器口部を密封するための密封部１３（容器口部の内面側に接触する環状プラグと、容器口部の上端面に接触する環状の小突起と、容器口部の上端外縁に接触する環状のアウターリングとが、中心側から周辺側へ順次に同心円状に形成された密封部）が形成され、スカート部１２の内面に、容器口部の外面に形成されたネジ部と螺合するネジ部１４が形成され、スカート部１２の下方に、容器口部に係止されるピルファープルーフバンド１５が切り離し可能に形成されている。
【００１０】
そのようなキャップ１の天板部１１には、ストローにより破断可能な簡易開口部１６が形成されている。すなわち、本実施例では、図１〜図３に示すように、キャップ１の天板部１１の中央部に、天板部１１の中心を最下点とし、その最下点から上方且つ外方に傾斜する複数の逆三角形状の傾斜面１７ａと、各傾斜面１７ａ同士を繋ぐ谷線１７ｂとで構成された多角錐状の凹部１７が形成されており、凹部１７の各谷線１７ｂは、凹部１７の最下点から外方且つ上方に放射状に延びている。そして、それぞれの谷線１７ｂの部分には、凹部１７の最下点から外縁部の付近にまで延びるように、ストローにより破断可能な薄肉ライン１８が形成されている。
【００１１】
さらに、本実施例では、凹部１７の各傾斜面１７ａの上部（凹部１７の外縁部の付近）で、隣り合うそれぞれの薄肉ライン１８の外端部同士を水平線で繋ぐように、天板部１１の肉厚よりも薄い直線状の折り曲げ可能なラインがヒンジ部１９として形成されており、それによって、ストローにより各薄肉ライン１８を破断した際に、ストローの押圧力により各傾斜面１７ａのヒンジ部１９よりも下部が下方に変位し易いようになっている。
【００１２】
具体的には、図３に示すように、キャップの内面側（天板部の下面側）から見て、凹部１７の領域内でヒンジ部１９により取り囲まれた部分は六角形状となっていて、隣り合う２本の薄肉ライン１８とヒンジ部１９とで画成される三角形状の部分（６本の薄肉ラインと６本のヒンジ部で囲まれた６個の三角形状の部分）は、ストローにより各薄肉ライン１８を破断した後で、図６に示すように、ストロー３の押圧力によりそれぞれ開口片として下方に押し下げられることとなる。
【００１３】
凹部１７の領域内でのヒンジ部１９を形成する位置については、ヒンジ部１９で取り囲まれる部分がストロー３の外径よりも大きくなるようにすれば良いのであるが、ストロー３の外径と略同じか僅かに大きいくらいにしておけば、ヒンジ部１９から下方の開口片となる部分が、ヒンジ部１９の位置で確実に折れ曲がるため、開口片となる部分をストロー３により容易に押し下げてスムーズに開口させることができる。
【００１４】
なお、凹部１７に形成される薄肉ライン１８やヒンジ部１９は、キャップ１の射出成形時に一体成形されるものであり、薄肉ライン１８については、使用するストローでの押圧により容易に破断できる程度の破断強度を有する（即ち、ストローの押圧により破断できる程度の薄肉であれば良い）ものである。例えば、高密度ポリエチレン等のオレフィン系樹脂で簡易開口部を成形した場合には、薄肉ライン１８の厚さは、容器の落下衝撃や内圧に対しては破断されずに、且つ、ストローでの押圧に対しては破断が容易なように、０．０５〜０．３ｍｍ程度に設定するのが好ましい。また、本実施例では、キャップ１（天板部１１）の内面側に溝部を設けることで薄肉ライン１８を形状しているが、場合によっては、キャップの外面側（或いは内外両面）に溝部を設けることで薄肉ラインを形状するようにしても良い。
【００１５】
さらに、上記のように簡易開口部１６が形成されたキャップ１の天板部１１の上端面には、図１および図２に二点鎖線で示すように、簡易開口部１６（薄肉ライン１８が形成された凹部１７）の部分を上方から覆うように、薄膜状のシール２０が剥離可能なようにヒートシール等によって貼着されており、それによって、商品の流通・販売時に、凹部１７に埃が溜まったり、或いは、凹部１７の薄肉ライン１８が誤って破断されるのを防止することができる。
【００１６】
上記のようにキャップ１の天板部１１に簡易開口部１６を形成した本実施例の簡易開口式容器によれば、複数の薄肉ライン１８の交点が凹部１７の最下点に位置していることから、ストローでの押圧により簡易開口部１６を開口させる際に、凹部１７の傾斜面１７ａや谷線１７ｂがガイドの役割をすることで、この傾斜面１７ａや谷線１７ｂに沿ってストローの先端を複数の薄肉ライン１８の交点（簡易開口部１６の中心部）に向けて容易に案内することができる。
【００１７】
すなわち、先端が斜めに切断されて最先端が鋭利なストローにより簡易開口部を開口させる場合には、図４に示すように、ストロー３の最先端が凹部１７の傾斜面１７ａや谷線１７ｂに沿って下方に滑り降りることで、複数の薄肉ライン１８の交点にストロー３の最先端を当接させることができる。なお、図示していないが、先端平坦なストローにより簡易開口部を開口させる場合には、ストローの下端縁部が凹部の傾斜面に沿って下方に滑り降りることで、複数の薄肉ラインの交点の近傍にストローの下端縁部を当接させることができる。
【００１８】
そして、その状態からストロー３を押し下げることにより、ストロー３の先端をずらすことなく、ストロー３での押圧力により薄肉ライン１８の交点（又はその近傍）を確実に破断することができる。そのように薄肉ライン１８の交点（又はその近傍）をストロー３の先端により破断してから更にストロー３を押し下げることにより、交点から半径方向外方に向けて放射状に薄肉ライン１８が破断されていき、破断が薄肉ライン１８の最外端の付近にまで到達すると共に、図６に示すように、ヒンジ部１９から下方の部分が容器内方へ折れ曲がることで、ストロー３が容器内部に容易に挿入されることとなる。
【００１９】
なお、本実施例では、横断面円形のストロー３に対して、凹部１７を多角錐状に形成していることから、図６に示すような、ストロー３により各開口片（各傾斜面１７ａのヒンジ部１９よりも下部）の全てを容器内方へ押し下げて、ストロー３を容器内に挿入した状態で、図５に示すように、ストロー３の外周面とキャップ（凹部１７）の開口部との間には隙間が形成されることとなる。その結果、キャップ１の天板部１１の凹部１７を貫通させたストロー３により容器内の飲料を吸引して飲む際に、ストロー３の外周面とキャップ（凹部１７）の開口部との間の隙間が空気導入部として作用することから、外部の空気を容器内に自由に流入させることができて、内容物をスムーズに吸引することができる。
【００２０】
以上、本発明の簡易開口式容器の一実施例について説明したが、本発明は、上記の実施例に示した具体的な構造にのみ限定されるものではなく、例えば、キャップの天板部に形成する凹部について、本実施例では、天板部の中央部に凹部を形成しているが、天板部の適宜の位置に凹部を形成しても良く、また、凹部の中心を最下点としているが、最下点を凹部の中心より変位させても良く、また、凹部を多角錐状に形成しているが、円錐状の凹部であっても良いものである。
【００２１】
また、薄肉ライン（各薄肉ラインの間の傾斜面）の数について、本実施例では６本（各薄肉ラインの間の傾斜面が６面）としているが、３本（各薄肉ラインの間の傾斜面が３面）以上であれば良く、また、各薄肉ラインの間に画成される傾斜面について、本実施例では平面形状（即ち、半径方向に沿った縦断面形状が直線状の逆三角形状）としているが、半径方向に沿った縦断面形状が円弧状の曲面形状であっても良いものである。また、開口片のヒンジ部については、傾斜面の肉厚を全体的に薄くすれば、特にヒンジ部を形成しなくても良いものである。
【００２２】
また、上記のような簡易開口部の具体的な構造についてだけではなく、簡易開口部が形成される対象物についても、実施例に示したネジ付きキャップの天板部に限らず、スナップ係合により容器口部に冠着されるスナップキャップの天板部や、金属製のスカート部を有する複合キャップの天板部などであっても良く、さらには、容器口部に冠着されるキャップの天板部に限らず、容器の開口フランジ部にヒートシールされる板状の蓋材や、容器のストロー孔を塞ぐ密封部など、容器の開口部を塞ぐ蓋部分となるものであれば良い等、適宜に設計変更可能なものであることはいうまでもない。
【図面の簡単な説明】
【００２３】
【図１】本発明の簡易開口式容器の一実施例に係る簡易開口式のキャップについて、一部分を断面構造で示す部分断面側面図。
【図２】図１に示したキャップの上方から見た状態を示す上面図。
【図３】図１に示したキャップの下方から見た状態を示す下面図。
【図４】図１に示したキャップについて、ストローにより簡易開口部を開口する前の状態を示す部分断面側面図。
【図５】図１に示したキャップについて、ストローにより簡易開口部を開口した後の状態を示す上面図。
【図６】図５に示したキャップのＡ−Ａ線に沿った縦断面図。
【符号の説明】
【００２４】
１        キャップ（蓋体）
３        ストロー
１１      （キャップの）天板部
１２      （キャップの）スカート部
１６      簡易開口部
１７      凹部
１７ａ    （凹部の）傾斜面
１７ｂ    （凹部の）谷線
１８      薄肉ライン
１９      ヒンジ部
【図１】
2005320046.tif 000003
【図２】
2005320046.tif 000004
【図３】
2005320046.tif 000005
【図４】
2005320046.tif 000006
【図５】
2005320046.tif 000007
【図６】
2005320046.tif 000008